(57)【要約】      （修正有）【課題】不活性ガスをパージし、かつ、排出する安全な接続ボックスを提供する。【解決手段】パージボックス１１は、パージガス供給用のパイプ１２と、パージガス換気用のパイプ１３と、パージガス供給用および換気用のパイプに接続される弁であってケーシングの外側に配置される弁と、フッ素ガスを含有する容器および供給システムからのパイプが貫通する入口部分であって、そのパイプがその入口部分を通して継手によってパージボックスに接続される入口部分と、パイプ、弁および入口部分を囲繞するケーシングとを含む。【選択図】図１
0003184355.tif 000002
【実用新案登録請求の範囲】
【請求項１】
パージガス供給用のパイプと、
前記パージガス換気用のパイプと、
前記パージガス供給用のパイプおよび前記換気用のパイプに接続される弁と、
反応性化学物質を含有する容器および供給システムからのパイプが貫通する入口部分であって、そのパイプがその入り口部分を通して継手によってパージボックスに接続される入口部分と、
前記パイプ、弁および入口部分を囲繞するケーシングと、
を含むパージボックス。
【請求項２】
前記反応性化学物質が元素のフッ素である、請求項１に記載のパージボックス。
【請求項３】
前記パージガスが少なくとも１種類の不活性ガスである、請求項１または２に記載のパージボックス。
【請求項４】
前記パージガスがアルゴンである、請求項３に記載のパージボックス。
【請求項５】
前記パージガスが窒素である、請求項３に記載のパージボックス。
【請求項６】
前記ケーシングが一般的なボックス形状である、請求項１〜５のいずれか一項に記載のパージボックス。
【請求項７】
前記ケーシングが、外部空気がそのケーシング内に進入し得ないように構成される、請求項１〜５のいずれか一項に記載のパージボックス。
【請求項８】
前記ケーシングが、前記反応性化学物質を含有する容器のバンドルと局所的なガス供給システムとの間の接続部を囲繞する、請求項１〜７のいずれか一項に記載のパージボックス。
【請求項９】
反応性化学物質監視用の検出器を含む、請求項１に記載のパージボックス。
【請求項１０】
反応性化学物質を含有する少なくとも１つの容器と、
請求項１〜９のいずれか一項に記載のパージボックスと、
前記反応性化学物質およびパージガスの流れを制御するためのパイプおよび弁を含むマニホルドパネルと、
前記反応性化学物質監視用の検出器と、
を含むパージシステム。
【請求項１１】
前記パージガス換気用のパイプに接続される洗浄器をさらに含む、請求項１０に記載のパージシステム。
【請求項１２】
前記容器が一般的なシリンダ形状を有する、請求項１０または１１に記載のパージシステム。
【請求項１３】
前記反応性化学物質の漏洩が発生すると、前記検出器が直ちに警報を発信する、請求項１０〜１２のいずれか一項に記載のパージシステム。
【請求項１４】
前記パージボックスを囲繞するケーシングと、反応性化学物質用の少なくとも１つの前記容器と、前記反応性化学物質およびパージガスの流れを制御するためのパイプおよび弁を含む前記マニホルドパネルと、前記反応性化学物質監視用の前記検出器とを含む、請求項１０に記載のパージシステム。
【考案の詳細な説明】
【技術分野】
【０００１】
本考案は、２０１０年７月５日付で提出された優先権番号ＥＰ２０１００１６８４３６号の欧州特許出願の利益を主張するものであり、この欧州特許出願の全内容は、あらゆる目的に関して本願明細書に組み込まれる。本考案はパージシステムに関し、さらに具体的には、半導体、光起電力および液晶表示（ＬＣＤ）装置のような最先端産業に用いられる特殊ガス供給設備周縁のガス漏洩を含む有害元素を防止し得るパージシステムに関する。
【背景技術】
【０００２】
半導体、光起電力およびＬＣＤの工場におけるもっとも必須の反応性化学物質に属する特殊ガスの管理はきわめて重要である。この点に関して、種々のガスキャビネットおよびガス供給設備が用いられる。ほとんどの特殊ガスは、腐食性挙動、毒性、燃焼性および引火性のために非常に有害である。従って、それらは細心の注意をもって取り扱わなければならない。
【０００３】
従来のガス供給設備は、シリンダおよび全パネルが１つのキャビネット内に配置される方式の簡単な排出システムを採用している。そうすることによって外部空気を全システムの中に導入することが可能になり、その後、排出ダクトを通してガスを排出するために圧力を低減することができる。特定の場合には、高度の反応性を有し、爆発性であって、自発燃焼性があるガスは、ガス漏洩の結果として、損傷、爆発および火災を惹起することがあり得る。さらに、このようなガスは、設備の停止および再起動が不可避になるので、時間と費用との大幅な損失をもたらす可能性が高い。また、それらは１つのキャビネットの中に構築されるので、それらが、実質的に有害な位置において有害元素を完全に除去することはできない。
【先行技術文献】
【特許文献】
【０００４】
【特許文献１】欧州特許出願第２０１００１６８４３６号
【考案の概要】
【考案が解決しようとする課題】
【０００５】
本考案の目的、特に本考案のパージボックスの目的は、ガスパイプとシリンダとの間の継手を外部／周囲空気から遮断することにある。この継手が、半導体に用いられる特殊ガスの漏洩による汚染、燃焼および火災の主たる原因になっている。本考案は、不活性ガス（ＡｒまたはＮ２など）をパージしかつ排出する別個の安全な接続ボックスの提供を目指している。
【課題を解決するための手段】
【０００６】
上記の目的を実現するため、本考案によるパージボックスは、次の各構成要素、すなわち、パージガス供給用のパイプと、パージガス換気用のパイプと、パージガス供給用および換気用のパイプに接続される弁と、反応化学物質を含有する容器および供給システムからのパイプが貫通する入口部分であって、そのパイプがその入り口部分を通して継手によってパージボックスに接続される入口部分と、パイプ、弁および入口部分を囲繞するケーシングとを含む。ガス漏洩検知器のセンサーもこのパージボックス内に設けられる。
【図面の簡単な説明】
【０００７】
【図１】本考案に従って構成されたパージボックスの形態の模式図である。
【図２】本考案によるパージボックスの詳細図である。
【図３】本考案に従って構成されたパージシステムの模式図である。
【図４】本考案によるパージボックス用のケーシングの模式図である。
【考案を実施するための形態】
【０００８】
図１および２に示すパージボックスは、元素のフッ素のような有害ガスが大気中に放散されるのを避けるために用いられる用具である。さらに、このボックスは、ボックス内の放散Ｆ２を希釈するために不活性ガスでフラッシュすることができる。これは、ほとんど１００％純度のＦ２で作業する場合に、ガス供給システム内でのＦ２燃焼を避けるために特に重要である。
【０００９】
多くの場合、Ｆ２は、Ｆ２またはＦ２を含有するガス混合物を含む中空体のバンドル、例えば細長いシリンダ形状の容器のバンドルによって使用点に供給される。Ｆ２ガスまたはＦ２ガス含有混合物の供給によく適したバンドルトレーラが国際公開第２０１０／０４６４２８号パンフレットに記述されている。このバンドルトレーラは、多くの場合、数個のバンドル、例えば６個のバンドルを含み、各バンドルは、Ｆ２またはＦ２含有混合物貯蔵用のいくつかの容器、例えば２〜４０個の容器を含む。各バンドルはバンドル弁を介して接続される。各バンドル弁は、トレーラ弁と接続される主パイプに接続される。トレーラ弁は、Ｆ２を局所的なガス供給システムに供給するパイプに接続される。バンドルトレーラ内に貯蔵されるＦ２がほとんど完全に供給されると、使用済みのバンドルトレーラは、新しいバンドルトレーラに取り換えなければならない。トレーラ弁およびバンドル弁は閉じられ、パイプが切り離される。
【００１０】
パージボックスは、バンドルと局所的なガス供給システムとの間の接続部において用いることができる。
【００１１】
漏洩は、バンドルとガス供給システムとの間の接続部において発生する可能性が最も高い。この接続部は頻繁に取り付けと取り外しとが繰り返されるからである。このような漏洩が生じると、ガスモニターがガスの放散を直ちに認識して、供給を閉止するための信号をバンドル弁に送り、同時に、不活性ガスを供給するようにガスキャビネット弁に信号送信する。ガス安全ボックスは、直ちに、Ｆ２の着火を避けるために、例えば１００％Ｆ２ガスの高濃度になるのを避けるように不活性ガスでフラッシュされる。不活性ガスおよび漏洩ガスは、システムのＰＯＵ（使用点：Ｐｏｉｎｔ  Ｏｆ  Ｕｓｅ）の洗浄器に送られるであろう。漏洩ガスを効率的に分解し得る任意の洗浄器を用いることができるが、水酸化カルシウムのようなアルカリ性の水溶液を含む洗浄器システム、あるいは固体炭酸カルシウム洗浄器を使用することが望ましい。不活性ガスのパージ流量の増大と同時に、Ｆ２供給用の弁が閉じられ、その結果、３０秒後にはＦ２は放散されなくなるであろう。
【００１２】
パージボックスはシリンダとパイプとの間の継手を被包しているので、それは、汚染および漏洩をもたらす可能性がある頻繁な取り付けおよび取り外しによってシリンダとガスパイプとの間の継手の周縁に２次的な有害事故が発生するのを防止する。
【００１３】
一実施態様において、反応性の化学物質が元素のフッ素である。別の実施態様においては、パージガスが少なくとも１つの不活性ガス、好ましくはアルゴンまたは窒素である。
【００１４】
他のいくつかの実施態様においては、ケーシングが、図４に示すような一般的なボックス形状である。好ましいいくつかの実施態様においては、ケーシングは、外部空気がケーシング内に侵入し得ないように形成される。別の一実施形態においては、パージボックスが、反応性化学物質を監視する検出器を含む。ケーシングは、少なくとも部分的に、ＡＳＴＭ  Ａ２４０  Ｔｙｐｅ  ３０４のようなステンレス鋼から製作される。但し、フッ素に対して不活性な他の材料も使用可能である。
【００１５】
本考案は、さらに、反応性化学物質を閉じ込めるための好ましくはシリンダ形状を有する少なくとも１つの容器と、上記に規定したようなパージボックスと、反応性化学物質およびパージガスの流れを制御するためのパイプおよび弁を含むマニホルドパネルと、反応性化学物質監視用の検出器とを含むパージシステムに関する。好ましい実施態様においては、このパージシステムは、さらに、パージガス換気用のパイプに接続される洗浄器を含み、反応性化学物質の漏洩が発生すると、検出器が直ちに警報を発信する。
【００１６】
本考案のいくつかの特定の実施態様においては、パージシステムが、パージボックスを囲繞するケーシングと、反応性化学物質用の少なくとも１つの容器と、反応性化学物質およびパージガスの流れを制御するためのパイプおよび弁を含むマニホルドパネルと、反応性化学物質監視用の検出器とを含む。
【００１７】
また、本考案は、半導体、光起電力または液晶表示（ＬＣＤ）産業、あるいはマイクロ電気機械システム（ｍｉｃｒｏ−ｅｌｅｃｔｒｏｍｅｃｈａｎｉｃａｌ  ｓｙｓｔｅｍ：ＭＥＭＳ）産業に用いられる特殊ガス供給設備において、特に、反応性化学物質の漏洩および／または濃縮された化学物質の燃焼によって惹起される有害事象を防止するために、パージボックスを使用することにも関する。
【００１８】
本考案は上記の使用および適用に限定されない。当業者は誰でも、必要に応じて使用および適用を変更できる。
【００１９】
添付の図面を参照すると、理想的な適用の例が示されている。
【００２０】
図１および２は、本考案に従って構築されたパージボックスの構成の実施態様を模式的に示す。このパージボックス（１１）は、パージガス供給用のパイプ（１２）と、パージガス換気用のパイプ（１３）と、パージガス供給用および換気用のパイプに接続される弁であってケーシングの外側に配置される弁（図示されていない）と、フッ素ガスを含有する容器および供給システムからのパイプが貫通する入口部分であって、そのパイプがその入り口部分を通して継手によってパージボックスに接続される入口部分と、パイプ、弁および入口部分を囲繞するケーシングとを含む。
【００２１】
図３は、本考案によるパージシステムの実施態様を模式的に示す。本考案のパージボックス（１）はバンドルフレーム（２）上に設置され、そのバンドルフレーム（２）の上には、化学物質を含有する複数の容器（３）が搭載される。パージボックス（１）は、容易な組み立てのために、２つの部分が一緒に溶接されている。このパージシステムのマニホルドパネル（４）は、容器からの反応性化学物質およびパージガスの流れを制御するためのパイプおよび弁と、反応性化学物質監視用の検出器とを含む。例えば、バンドルをガス供給システムに接続した際に反応性ガスが漏洩したとすると、検出器が、直ちにガスの漏洩を認識して、反応性ガスの供給を停止する信号をバンドル弁に送る。一方、ほとんど同時に、パージボックスを、例えばＦ２が２０％より高いガスに濃度増大することと、それによる結果とを避けるためにアルゴンガスでフラッシュする。パージガスは、Ｆ２が検出されると直ちにパージボックスをフラッシュするであろう。パージガスの流量が高いので、Ｆ２濃度の増大が避けられ、燃焼開始の臨界濃度になるのが防止される。希釈効果以外に、冷却効果があることも考え得る。これに加えて、Ｆ２供給弁が同時に閉止されるであろう。
【００２２】
パージシステムは、さらに、パージガス換気用のパイプに接続される洗浄器を含む。さらに、検出器が、反応性化学物質の漏洩が生じると直ちに警報を発信する。漏洩したフッ素を含有する不活性ガス（例えばアルゴン）が、乾式または湿式洗浄器システムのいずれかであるＰＯＵ（使用点：Ｐｏｉｎｔ  Ｏｆ  Ｕｓｅ）洗浄器に送られる。アルゴンのような不活性ガスによるフラッシングは、バンドル弁が閉じられ、許容閾値（Ｔｈｒｅｓｈｏｌｄ  Ｌｉｍｉｔ  Ｖａｌｕｅ：ＴＬＶ）を超えるＦ２信号が検出されなくなるまで実施される。次のステップにおいて、安全ボックスを開放し、接続およびガスケットを交換および／または再調整できる。バンドルシステムの具体的な形態は、ＰＣＴ出願番号ＰＣＴ／ＥＰ２００９／０６３８６７号明細書（国際公開第２０１０／０４６４２８号パンフレットとして公刊）に記述されており、このＰＣＴ出願の内容はその全体が参照によって本願に組み込まれる。
【００２３】
本考案のパージボックスによって、シリンダおよびパイプの間の継手においてガス漏洩が発生した場合、汚染、燃焼、爆発および火災による有害事象を防止するために、かつ、漏洩特殊ガスおよび廃棄物を排出するために、不活性ガス（例えば、アルゴン、窒素など）がパージされ、ボックス形状の構造によって外部空気が遮断される。これによって、設備の運転の連続性を確保することが可能になり、いかなる不必要な事故も防止できる。既存または別個のガスキャビネットを含むガス供給設備に搭載されるシリンダの取り付けおよび取り外しから生じる物理的および化学的損傷を防止できる。
【００２４】
参照によって本願に組み込まれる任意の特許、特許出願および刊行物の開示内容が、用語を不明確にする可能性がある限りにおいて本願明細書の記述と矛盾する場合には、本願明細書の記述が優先するものとする。
【符号の説明】
【００２５】
１  パージボックス
２  バンドルフレーム
３  容器
４  マニホルドパネル
１１  パージボックス
１２  パージガス供給用のパイプ
１３  パージガス換気用のパイプ
【図１】
0003184355.tif 000003
0003184355.tif 000004
【図４】
0003184355.tif 000005
【図２】
0003184355.tif 000006
【図３】
0003184355.tif 000007